(57)【要約】【課題】  規模を大がかりなものとせず、簡易な構成において模型の設置角度を変更可能なディスプレイ台及びディスプレイ台付き模型体を提供する。【解決手段】  ベースと、ベースより上方に延び、上端に結合部を有する支持部と、ほぼ平坦な上面と湾曲した底面とを有し、前記湾曲した底面上に湾曲方向とほぼ平行に配列された複数の結合孔を備えるステージ部とを備えるディスプレイ台であって、前記ステージ部が、前記複数の結合孔のいずれかと前記結合部とが結合することにより、前記支持部に対して所定の傾斜角度において固定されることを特徴とする。【選択図】図１
2006263155.tif 000002
【特許請求の範囲】
【請求項１】
ベースと、
ベースより上方に延び、上端に結合部を有する支持部と、
ほぼ平坦な上面と湾曲した底面とを有し、前記湾曲した底面上に湾曲方向とほぼ平行に配列された複数の結合孔を備えるステージ部とを備え、
前記ステージ部が、前記複数の結合孔のいずれかと前記結合部とが結合することにより、前記支持部に対して所定の傾斜角度において固定されることを特徴とするディスプレイ台。
【請求項２】
前記結合部は、前記結合孔と結合した場合に、前記湾曲方向とほぼ平行となる方向に張り出した張り出し部を少なくとも備えることを特徴とする請求項１に記載のディスプレイ台。
【請求項３】
ベースと、
ベースより上方に延び、上端に結合部を有する支持部と、
を有するディスプレイ台と、
湾曲した底面を有し、前記湾曲した底面上に湾曲方向とほぼ平行に配列された複数の結合孔を備える模型体と、
からなり、
前記模型体が、前記複数の結合孔のいずれかと前記結合部とが結合することにより、前記支持部に対して所定の傾斜角度において固定されることを特徴とするディスプレイ台付き模型体。
【請求項４】
前記結合部は、前記結合孔と結合した場合に、前記湾曲方向とほぼ平行となる方向に張り出した張り出し部を少なくとも備えることを特徴とする請求項３に記載のディスプレイ台付き模型体。
【請求項５】
ベースと、
ベースより上方に延び、上端に結合部を有する支持部と、
ほぼ平坦な上面と、前記結合部と結合するための結合孔を有する底面とを有するステージ部とを備え、
前記支持部は、前記ステージ部を互いに直交する２方向にそれぞれ傾斜させるためのジョイント部を更に備えることを特徴とするディスプレイ台。
【請求項６】
前記ジョイント部は、
第１の方向に回転して結合可能な、凸部と凹部とを有する第１のジョイント手段と、
前記第１の方向とは直交する方向に回転して結合可能な凸部と凹部とを有する第２のジョイント手段とを備え、
前記第１のジョイント手段により、前記ステージ部の前記第１の方向に対応する傾斜角度が決定され、前記第２のジョイント手段により、前記ステージ部の前記第２の方向に対応する傾斜角度が決定されることを特徴とする請求項５に記載のディスプレイ台。
【請求項７】
ベースと、
ベースより上方に延び、上端に結合部を有する支持部と、
を有するディスプレイ台と、
前記結合部と結合するための結合孔を有する底面を備える模型体と、
からなり、
前記支持部は、前記模型体を互いに直交する２方向にそれぞれ傾斜させるためのジョイント部を更に備えることを特徴とするディスプレイ台付き模型体。
【請求項８】
前記ジョイント部は、
第１の方向に回転して結合可能な、凸部と凹部とを有する第１のジョイント手段と、
前記第１の方向とは直交する方向に回転して結合可能な凸部と凹部とを有する第２のジョイント手段とを備え、
前記第１のジョイント手段により、前記ステージ部の前記第１の方向に対応する傾斜角度が決定され、前記第２のジョイント手段により、前記模型体の前記第２の方向に対応する傾斜角度が決定されることを特徴とする請求項７に記載のディスプレイ台付き模型体。
【発明の詳細な説明】
【技術分野】
【０００１】
本発明は、模型を展示するためのディスプレイ台及びディスプレイ台付き模型体に関する。
【背景技術】
【０００２】
例えば、模型工作により完成された模型を設置する場合、模型を直接に机の上や装飾棚等に置くこともできるが、見栄え等の問題により、所定のディスプレイ台を利用して、机の上面より模型を浮かせて設置することが多い。
【０００３】
その際、ディスプレイ台は模型の設置角度が固定的であったり、或いは、設置角度を変更可能であっても装置の規模が大がかりになってしまう（特許文献１及び２を参照）。
【特許文献１】実開昭６１−２１３５９号公報
【特許文献２】特開２０００−４１８０２号公報
【発明の開示】
【発明が解決しようとする課題】
【０００４】
このように、従来は規模を大がかりなものとせず、簡易な構成において模型の設置角度を変更可能なディスプレイ台を提供することができなかった。
【０００５】
そこで、本発明では、規模を大がかりなものとせず、簡易な構成において模型の設置角度を変更可能なディスプレイ台及びディスプレイ台付き模型体を提供することを目的とする。
【課題を解決するための手段】
【０００６】
上記課題を解決するための本発明は、ベースと、ベースより上方に延び、上端に結合部を有する支持部と、ほぼ平坦な上面と湾曲した底面とを有し、前記湾曲した底面上に湾曲方向とほぼ平行に配列された複数の結合孔を備えるステージ部とを備えるディスプレイ台であって、前記ステージ部が、前記複数の結合孔のいずれかと前記結合部とが結合することにより、前記支持部に対して所定の傾斜角度において固定されることを特徴とする。
【０００７】
また、上記課題を解決するための本発明は、更に、ベースと、ベースより上方に延び、上端に結合部を有する支持部と、ほぼ平坦な上面と、前記結合部と結合するための結合孔を有する底面とを有するステージ部とを備えるディスプレイ台であって、前記支持部は、前記ステージ部を互いに直交する２方向にそれぞれ傾斜させるためのジョイント部を更に備えることを特徴とする。
【０００８】
上記課題を解決するための本発明は、更に、ベースと、ベースより上方に延び、上端に結合部を有する支持部と、を有するディスプレイ台と、湾曲した底面を有し、前記湾曲した底面上に湾曲方向とほぼ平行に配列された複数の結合孔を備える模型体と、からなる模型体であって、前記模型体が、前記複数の結合孔のいずれかと前記結合部とが結合することにより、前記支持部に対して所定の傾斜角度において固定されることを特徴とする。
【０００９】
上記課題を解決するための本発明は、更に、ベースと、ベースより上方に延び、上端に結合部を有する支持部と、を有するディスプレイ台と、前記結合部と結合するための結合孔を有する底面を備える模型体と、からなるディスプレイ台付き模型体であって、前記支持部は、前記模型体を互いに直交する２方向にそれぞれ傾斜させるためのジョイント部を更に備えることを特徴とする。
【発明の効果】
【００１０】
本発明によれば、規模を大がかりなものとせず、簡易な構成において模型の設置角度を変更可能なディスプレイ台及びディスプレイ台付き模型体を提供することができる。
【発明を実施するための最良の形態】
【００１１】
以下、添付する図面を参照して、本発明の実施形態について説明する。
【００１２】
［第１の実施形態］
図１は、本発明の第１の実施形態に対応するディスプレイ台の概観を示す図である。図１において、本実施形態に対応するディスプレイ台は、ステージ１０１、支持部１０２及びベース１０３から構成される。ステージ１０１は、支持部１０２と取り外し可能に結合され、ステージ１０１の上面が水平方向に対し所定の角度を有するように固定される。また、ステージ１０１の上面はほぼ平坦になっており、ステージ１０１上には、模型１０４を接着して搭載することが可能となっている。また、接着によらない場合には、所定の結合部を設けて模型１０４を搭載することもできる。
【００１３】
図２は、図１におけるディスプレイ台において、ステージ１０１を外した状態を示す斜視図である。支持部１０２の上端には、２つの結合片２０１及び２０２が設けられている。また、ステージ１０１の底面には、結合孔２０３及び２０４の組合せが３ペア分（２０３ａと２０４ａ、２０３ｂと２０４ｂ及び２０３ｃと２０４ｃ）、ステージ１０１の底面の湾曲方向とほぼ平行に設けられている。ステージ１０１の底面は、図３のＡＢ断面図に示すように、上面とは異なり中心から周辺にかけて湾曲した表面を有しており、中心部分に１ペアの結合孔２０３ｂ及び２０４ｂが配置され、該１ペアを挟むようにして、湾曲した面に１ペアずつの結合孔２０３ａ（２０３ｃ）及び２０４ａ（２０４ｃ）が配置される構成となっている。また、各結合孔２０３及び２０４と向き合うように、補助部材３０１、３０２、３０３が設置されている。補助部材３０１から３０３の機能については、図４を参照して後述する。
【００１４】
このように、結合片２０１及び２０２は、ステージ１０１の底面に設けられた結合孔２０３及び２０４にそれぞれに挿入され、このことにより、ステージ１０１が所定の角度にて支持部１０２上で固定されることとなる。
【００１５】
図４ａ乃至図４ｃは、結合片２０１及び２０２と結合孔２０３及び２０４との結合状態を説明するための図である。
【００１６】
図４ａの下側の図は、結合孔２０３に対し、結合片２０１を結合しようとしている状態を、結合片２０１の真下から見た様子を示している。このとき、結合孔２０３からは、補助部材３０１が見えている。図４ａの上側の図は、下側の図においてＡ’−Ｂ’で断面をとった場合の断面図を示している。ここから分かるように、図４ａでは、結合片２０１と結合孔２０３とが離れて位置しており、未だ結合されていない。
【００１７】
次に、図４ｂは、結合片２０１が補助部材３０１と接触する位置まで結合孔２０３内に挿入されている様子が示されている。このように、結合孔２０３内では、結合片２０１の挿入可能な深さが、補助部材３０１によって規定される。この状態で、結合片２０１は補助部材３０１の支持の元でステージ１０１の長軸方向（図中の矢印の方向）にスライド可能となっており、図４ｃに示すように、図中の右方向にスライドさせた場合、結合孔３０１の開口サイズが結合片２０１の挿入位置における開口サイズよりも狭くなっているために、結合片２０１が、補助部材３０１とステージ１０１の底面との間で挟まれる形となって固定され、結合片２０１と結合孔２０３との結合が行われる。
【００１８】
なお、結合片２０２と結合孔２０４における結合方法も上記と同様であるので、ここでは説明を省略する。
【００１９】
次に、図５を参照して、ステージ１０１が結合孔２０３ａ乃至２０３ｃ及び２０４ａ乃至２０４ｃを利用することにより、異なる角度にて支持部１０２に対して固定される様子を説明する。
【００２０】
図５は、図１の矢印１０５に対応する方向からステージ１０１と支持部１０２とを見た場合の様子を簡略的に示す図である。ここで（ａ）は、結合片２０１と結合孔２０３ａとが、結合片２０２と結合孔２０４ａとが結合された状態を示している。このように、結合孔２０３ａ及び結合孔２０４ａは、共にステージ１０１の底面の湾曲面に配置されているので、これらの結合孔を利用することによりステージ１０１を傾けて設置することができる。また、ステージ１０１を傾けた場合であっても、図４を参照して説明したように、結合片２０１と結合孔２０３とがかみ合うようにして結合されているために、ステージ１０１に模型１０４を搭載したときに模型１０４の重みにより、ステージ１０１がずれて固定状態が解除される虞がなくなる。
【００２１】
また、図５（ｂ）は、結合片２０１と結合孔２０３ｂとが、結合片２０２と結合孔２０４ｂとが結合された状態を示している。このように、結合孔２０３ｂ及び結合孔２０４ｂは、共にステージ１０１の底面の中央に配置されているので、これらの結合孔を利用することによりステージ１０１を水平に設置することができる。
【００２２】
図５（ｃ）は、結合片２０１と結合孔２０３ｃとが、結合片２０２と結合孔２０４ｃとが結合された状態を示している。このように、結合孔２０３ｃ及び結合孔２０４ｃは、共にステージ１０１の底面の湾曲面に配置されているので、これらの結合孔を利用することにより、図５（ａ）とは異なる角度でステージ１０１を傾けて設置することができる。また、この場合においても、結合片２０１と結合孔２０３とがかみ合うようにして結合しているために、ステージ１０１に模型１０４を搭載したときに模型１０４の重みにより、ステージ１０１がずれて固定状態が解除される虞がなくなる。
【００２３】
以上のように、本実施形態に対応するディスプレイ台によれば、ステージ１０１の底面が湾曲した形状を有し、該湾曲面に複数の結合孔２０３及び２０４を設けることにより、支持部１０２の上端の結合片２０１及び２０２と結合する結合孔を選択するだけで、簡単にステージ１０１を水平或いは一定の傾きを持って固定することが可能となる。
【００２４】
［第２の実施形態］
上記第１の実施形態では、支持部１０２の構成を固定的なものとして、ステージ１０１の底面に複数の結合孔を設けることにより、ステージ１０１の固定角度を可変とした。これに対して、本実施形態では、ステージ１０１の底面に設ける結合孔は１種類として、支持部１０２により、ステージ１０１の固定角度を可変とする発明について説明する。
【００２５】
本実施形態に対応するディスプレイ台では、図６に示すように、ステージ１０１は中央の結合孔２０３ｂ及び２０４ｂのみを有していれば良く、湾曲部分における結合孔２０３ａ、２０３ｃ、２０４ａ及び２０４ｃは不要である。
【００２６】
また、図６に示すように、支持部６０１の上端にはジョイント部としての部材６０２から６０４が設けられている。ここで、部材６０２の凸部（スプライン軸）と部材６０３の凹部（スプライン穴）とが結合することにより、部材６０３は部材６０２を介して支持部６０１に接続される。更に、部材６０３のスプライン軸と部材６０４のスプライン穴とが結合することにより、部材６０４は部材６０３及び部材６０２を介して支持部６０１に接続されている。部材６０４は、結合片６０５と６０６とを備えており、ステージ１０１の結合孔２０３及び２０４と結合することができる。
【００２７】
次に図７を参照して、部材６０２、部材６０３及び部材６０４が接続される様子を説明する。
【００２８】
図７において、部材６０２は凸状に形成されたスプライン軸７０１を有しており、部材６０３の凹状に形成されたスプライン穴７０２と矢印７０５の方向に所定の回転角度を持って接続することができる。部材６０３はまた、凸状に形成されたスプライン軸７０３を更に備えており、部材７０４の凹状に形成されたスプライン穴７０４と結合することができる。このとき、スプライン軸７０３とスプライン穴７０４とは矢印７０６の方向に所定の回転角度を持って接続することができる。
【００２９】
このように、スプライン軸７０１とスプライン穴７０２とを利用することにより、図８（ａ）に示すようにステージ１０１の短軸方向の傾きを段階的に出すことが可能となる。また、スプライン軸７０３とスプライン軸７０４とを利用することで、図８（ｂ）に示すようにステージ１０１の長軸方向の傾きを段階的に出すことが可能となる。
【００３０】
なお、図８では、ステージ１０１の傾きを簡略的に示すために、部材６０２から６０４の構成は省略してある。また、図８（ａ）は、図１の矢印１０５に対応する方向から見た場合のステージ１０１の傾きを示しており、図８（ｂ）は、図１の矢印１０６に対応する方向から見た場合のステージ１０１の傾きを示している。
【００３１】
上記においては、図６及び図７では、互いに直交する２方向の傾きを出すためのスプライン軸とスプライン穴との組合せを支持部６０１の上端に配置したが、例えば、短軸方向（図８（ａ）に示す方向）の傾きを出すためのスプライン軸７０１及びスプライン穴７０２を、支持部６０１とベース１０３との接続部に設けても良い。
【００３２】
以上のように、本実施形態に対応するディスプレイ台によれば、支持部６０１に設けた部材のスプライン軸とスプライン穴との結合角度を調整することにより、簡単にステージ１０１を短軸方向と長軸方向との互いに直交する２方向において所定の傾きを持って固定することが可能となる。
【００３３】
［第３の実施形態］
上記の第１及び第２の実施形態では、ステージ１０１上に模型を設置する場合について記載したが、本発明はこのような形態に限定されることなく、模型の裏面に結合孔を設けて、直接結合片と結合するように構成しても良い。
【００３４】
その場合、第１の実施形態に対応して複数の結合孔のペアを設けるように模型の裏面を湾曲させて構成しても良いし、第２の実施形態に対応して単一の結合孔のペアを設けるように模型の裏面を構成しても良い。
【００３５】
図９は、第１の実施形態に対応して模型１０４が直接に支持部１０２と結合される場合を示す図である。
【００３６】
以上のように、本実施形態に対応するディスプレイ台によれば、模型１０４の底面が湾曲した形状を有し、該湾曲面に複数の結合孔２０３及び２０４を設けることにより、支持部１０２の上端の結合片２０１及び２０２と結合する結合孔を選択するだけで、簡単に模型１０４を水平或いは一定の傾きを持って固定することが可能となる。
【００３７】
また、本実施形態に対応するディスプレイ台によれば、支持部６０１に設けた部材のスプライン軸とスプライン穴との結合角度を調整することにより、簡単に模型１０４を短軸方向と長軸方向との互いに直交する２方向において所定の傾きを持って固定することが可能となる。
【図面の簡単な説明】
【００３８】
【図１】本発明の実施形態に対応するディスプレイ台の概観の一例を示す図である。
【図２】本発明の第１の実施形態に対応するディスプレイ台において、ステージ１０１を外した状態の一例を示す斜視図である。
【図３】本発明の第１の実施形態に対応するステージ１０１の断面の一例を示す図である。
【図４ａ】本発明の第１の実施形態において、結合片２０１と結合孔２０３との結合の状態を説明するための図である。
【図４ｂ】本発明の第１の実施形態において、結合片２０１と結合孔２０３との結合の状態を説明するための図である。
【図４ｃ】本発明の第１の実施形態において、結合片２０１と結合孔２０３との結合の状態を説明するための図である。
【図５】本発明の第１の実施形態において、ステージ１０１が支持部１０２に対して固定される様子を説明するための図である。
【図６】本発明の第２の実施形態に対応するディスプレイ台において、ステージ１０１を外した状態の一例を示す斜視図である。
【図７】本発明の第２の実施形態に対応する支持部６０１上端の構成の一例を示す図である。
【図８】本発明の第２の実施形態において、ステージ１０１が支持部６０１に対して固定される様子を説明するための図である。
【図９】本発明の第３の実施形態に対応する、模型の設置状態の一例を示す図である。
【図１】
2006263155.tif 000003
【図２】
2006263155.tif 000004
【図３】
2006263155.tif 000005
【図４ａ】
2006263155.tif 000006
【図４ｂ】
2006263155.tif 000007
【図４ｃ】
2006263155.tif 000008
【図５】
2006263155.tif 000009
【図６】
2006263155.tif 000010
【図７】
2006263155.tif 000011
【図８】
2006263155.tif 000012
【図９】
2006263155.tif 000013